(57)【要約】      （修正有）【課題】包装用仕切を包装用箱と一体に圧縮しやすい包装用箱を提供する。。【解決手段】対向する一組の側板１６ａ、１６ａの内側において、一定の箇所に係合部材１８ａを備えた包装用箱２０が設けられ、包装用仕切１４の横片側が係合部材１８ａに向けられるとともに横片が係合部材１８ａを介して摺動自在に係合されるもの。【選択図】図５
0003117108.tif 000002
【実用新案登録請求の範囲】
【請求項１】
包装用仕切を備えた包装用箱において、
少なくとも一対の横片１０、１０と、折目１２ａを境にして一定の幅、長さ及び高さを有する縦部１２ｂと横部１２ｃがそれぞれ区画形成されてなる縦片１２が設けられ、
該横片１０、１０間に該縦片１２が設けられ、かつ、該縦片１２の横部１２ｃが該横片１０、１０と平行に配置されるとともに、該横部１２ｃが接着剤を介して該横片１０、１０に接着されることにより、伸張時に方形の升目１２ｄを形成するようにした伸縮自在な包装用仕切１４が設けられ、
一方、対向する一方の一組の側片１６ａ、１６ａと対向する他方の一組の側片１６ｂ、１６ｂからなる四隅に折目１６ｆが形成された方形の包装用箱本体１６ｃが設けられ、
該包装用箱本体１６ｃの前記の二組の側板１６ａ、１６ａ、１６ｂ、１６ｂの開口端と底側端に二枚又は四枚からなる蓋片１６ｄおよび底片１６ｅがそれぞれ折目を介して折り畳み自在に連設され、
対向する二組の側板１６ａ、１６ａ、１６ｂ、１６ｂの何れかの一組の側板の内側において、一定の箇所に係合部材を備えた包装用箱２０が設けられ、
該蓋片１６ｄおよび底片１６ｅが二組の側板１６ａ、１６ａ、１６ｂ、１６ｂに対して直角に折曲された状態において、該包装用箱本体１６ｃ内に該包装用仕切１４がその底片１６ｅから遊離され、該包装用仕切１４の横片１２側が該係合部材に向けられるとともに該横片１２が係合部材を介して摺動自在に係合され、かつ、蓋片１６ｄ側が蓋片１６ｄに干渉しないように内装されてなることを特徴とする包装用仕切を備えた包装用箱。
【請求項２】
対向する一対のそれぞれの該側板１６ａの内側に包装用箱本体１６ｃの蓋片１６ｄ側に開放部１８αを有する係合部材１８ａが設けられ、包装用仕切１４の横片１０、１０が該開放部１８αに挿入されてなることを特徴とする請求項１記載の包装用仕切を備えた包装用箱。
【請求項３】
対向する一対のそれぞれの側板１６ａの内側との間に包装用仕切１４の横片１０の肉厚に対応する隙間βを設けてなる断面略Ｌ字状の係合部材１８ｂが設けられ、包装用仕切１４の横片１０、１０が該隙間βに挿入されてなることを特徴とする請求項１記載の包装用仕切を備えた包装用箱。
【請求項４】
対向する一対のそれぞれの側板１６ａの内側との間に包装用仕切１４の横片１０の肉厚に対応する隙間βを設けてなる断面略Ｕ字状の係合部材１８ｃが設けられ、包装用仕切１４の横片１０、１０が該隙間βに挿入されてなることを特徴とする請求項１記載の包装用仕切を備えた包装用箱。
【請求項５】
対向する一対のそれぞれの側板１６ａの内側に横断面の幅が包装用仕切１４の横片１０の肉厚より大きい支持面１８ｍを備えた係合部材１８ｄが設けられ、伸張状態の包装用仕切１４の横片１０、１０が該係合部材１８ｄの支持面１８ｍに載置されてなることを特徴とする請求項１記載の包装用仕切を備えた包装用箱。
【請求項６】
対向する一組の側板１６ａの底片１６ｅ側の一部を残存させて切り欠くことにより、切込１８f付の舌片による係合部材１８ｅが設けられ、該係合部材１８ｅを切込１８fの残存部を境にして内側に折曲させることにより支持面１８ｍを形成し、伸張状態の包装用仕切１４の横片１０が該係合部材１８ｅの支持面１８ｍに載置されてなることを特徴とする請求項１記載の包装用仕切を備えた包装用箱。
【請求項７】
係合部材が側板１６ａの内側において、包装用箱本体１６ｃと底片１６ｅとの境の折目１６ｈを基準してその上方の同一水平線上に複数個設けられてなることを特徴とする請求項１、２、３、４、５又は６記載の包装用仕切を備えた包装用箱。
【請求項８】
係合部材の最大長さｌが包装用仕切１４の升目１２ｄの長さＬより短く設定されてなることを特徴とする請求項１、２、３、４、５、６又は７記載の包装用仕切を備えた包装用箱。
【請求項９】
包装用箱２０、包装用仕切１４および係合部材が紙製であることを特徴とする請求項１、２、３、４、５、６、７又は８記載の包装用仕切を備えた包装用箱。
【考案の詳細な説明】
【技術分野】
【０００１】
この考案は、伸縮自在な包装用仕切を備えた主として業務用の折りたたみ自在な包装用箱に関する。
【背景技術】
【０００２】
包装用箱に被包装物を収納する場合、包装用箱内にいわゆる“組仕切”として広く知られている包装用仕切を升目を形成するために井桁状に組立てて内装し、その仕切の升目に被包装物を収納させることが伝統的に広く実施されていた（たとえば、実開昭６３−７６６２４号公報参照）。
組仕切は、知られるようにスリットを備えた複数枚の帯状の紙シートが井桁状に向き合わせられ、スリットを差し込むことにより手軽に得られる有利性があった。
しかし、組仕切を包装用箱と組合わせて使用し、折り畳んで保管し、輸送する場合には、次の問題点があった。
【０００３】
組仕切は、紙シートのスリットが互いに単に挿入されているに過ぎないから、紙シートが外れるおそれがあった。
したがって、伸張させた組仕切を嵩張ることのないようにするため、包装用箱の折り畳みに追従させて包装用箱と一体に折り畳むことは困難であった。
また、組仕切は包装用箱内に単に据置されているに止まり、包装用箱と組仕切は互いに独立して存在しているから、被包装物の収納に備えて、包装用箱の伸張に追従させて紙仕切を箱と一体に伸張させることは、構造上不能であった。
この結果、組仕切を使用する場合は、包装用箱と分離して保管し、使用時に組仕切を伸張して箱内に据置き、被包装物の包装に供されることも少なくなかった
。
【０００４】
さらに、包装用箱内で組仕切を伸張させ、伸張させた組仕切をその伸張状態のまま箱内に据置く作業は煩雑であり、組仕切による包装作業の隘路であった。
【０００５】
そこで、本考案者は、組仕切に代え、伸縮自在な包装用仕切を開発した（たとえば、実公平３−２２１０２号公報、同５−２６０２２号公報を参照、商品名「カミコン」）。
また、この種の伸縮自在な包装用仕切は前記の考案のほか特許第３３４９５４３号公報などに記載された発明としても知られている。
これらの伸縮自在な包装用仕切は、スリットを差し込むことに代え、横片と縦片が互いに接着されたもので、伸張することにより方形の升目が形成され、圧縮することにより全体が板状になるものである。
したがって、この伸縮自在な包装用仕切を折り畳み自在な包装用箱内において、その仕切の圧縮方向の両側の横片を包装用箱の対向する側板に接着することにより、箱の折り畳みに追従して仕切を箱と一体に圧縮でき、箱を開くことにより箱の展開に追従して仕切を展開させて升目を得ることができるから、包装業界において利便性が高いものである。
【０００６】
【特許文献１】実開昭６３−７６６２４号公報
【特許文献２】実公平  ３−２２１０２号公報、
【特許文献３】実公平  ５−２６０２２号公報
【特許文献４】特許  第３３４９５４３号公報
【考案の開示】
【考案が解決しようとする課題】
【０００７】
しかし、この種の包装用箱は、量産、かつ、廉価が要請されるものであるから
、包装用箱内に伸縮自在な包装用仕切を機械的手段により接着剤などを介して結合することが希望されるものの、圧縮時の形態が不安定な包装用仕切を包装用箱内の所定の位置に接着することは必ずしも容易ではない。
仮に機械的手段を開発できるとしても、その手段は複雑化し、生産コストが高くなるおそれがあった。
【０００８】
さらに、考案者の実験、研究によれば、折り畳み自在な包装用箱内に伸縮自在な包装用仕切を接着剤を介して結合させた構成の場合、包装用仕切を伸張させる場合について問題はないものの、圧縮時に包装用箱と包装用仕切との間にある程度の融通性を備えることにより、包装用箱内で包装用仕切を該箱と一体に圧縮し易いことが判明したが、背景技術では解決されていない。
【０００９】
この考案の目的は、機械的手段によることなく手軽に実施できる伸縮自在な包装用仕切を備えた包装用箱を提供することにある。
【００１０】
他の目的は、伸縮自在な包装用仕切と折り畳み自在な包装用箱を手軽に組み合わせつつ、包装用仕切を備えた包装用箱の機能を低下させないことにある。
【００１１】
さらに、他の目的は、包装用仕切を包装用箱と一体に圧縮し易い包装用箱を提供することにある。
【課題を解決するための手段】
【００１２】
本考案は、折り畳み自在な包装用箱内に伸縮自在な包装用仕切を手軽に内装するため、包装用仕切に設けられた横片を包装用箱の側板の内側に設けられた係合部材に係合することを最も主要な特徴とする。
【００１３】
上記の目的を達成するため、第１の課題解決手段は、
包装用仕切を備えた包装用箱において、
少なくとも一対の横片と、折目を境にして一定の幅、長さ及び高さを有する縦部と横部がそれぞれ区画形成されてなる縦片が設けられ、
該横片間に該縦片が設けられ、かつ、該縦片の横部が該横片と平行に配置されるとともに、該横部が接着剤を介して該横片に接着されることにより、伸張時に方形の升目を形成するようにした伸縮自在な包装用仕切が設けられ、
一方、対向する一方の一組の側片と対向する他方の一組の側片からなる四隅に折り目が形成された方形の包装用箱本体が設けられ、
該包装用箱本体の前記の二組の側板の開口端と底側端に二枚又は四枚からなる蓋片および底片がそれぞれ折目を介して折り畳み自在に連設され、
対向する二組の側板の何れかの一組の側板の内側において、一定の箇所に係合部材を備えた包装用箱が設けられ、
該蓋片および底片が二組の側板に対して直角に折曲された状態において、該包装用箱本体内に該包装用仕切がその底片から遊離され、該包装用仕切の横片側が該係合部材に向けられるとともに該横片が係合部材を介して摺動自在に係合され、かつ、蓋片側が蓋片に干渉しないように内装されてなることを特徴とする包装用仕切を備えた包装用箱である。
【００１４】
上記の目的を達成するため、第２の課題解決手段は、第１の課題解決手段において、
対向する一対のそれぞれの該側板の内側に包装用箱本体の蓋側に開放部を有する係合部材が設けられ、包装用仕切の横片が該開放部に挿入されてなることを特徴とする包装用仕切を備えた包装用箱である。
【００１５】
上記の目的を達成するため、第３の課題解決手段は、第１の課題解決手段において、
対向する一対のそれぞれの側板の内側との間に包装用仕切の横片の肉厚に対応する隙間を設けてなる断面略Ｌ字状の係合部材が設けられ、包装用仕切の横片が該隙間に挿入されてなることを特徴とする包装用仕切を備えた包装用箱である。
【００１６】
上記の目的を達成するため、第４の課題解決手段は、第１の課題解決手段において、
対向する一対のそれぞれの側板の内側との間に包装用仕切の横片の肉厚に対応する隙間を設けてなる断面略Ｕ字状の係合部材が設けられ、包装用仕切の横片が該隙間に挿入されてなることを特徴とする包装用仕切を備えた包装用箱である。
【００１７】
上記の目的を達成するため、第５の課題解決手段は、第１の課題解決手段において、
対向する一対のそれぞれの側板の内側に横断面の幅が包装用仕切の横片の肉厚より大きい支持面を備えた係合部材が設けられ、伸張状態の包装用仕切の横片が該係合部材の支持面に載置されてなることを特徴とする包装用仕切を備えた包装用箱である。
【００１８】
上記の目的を達成するため、第６の課題解決手段は、第１の課題解決手段において、
対向する一組の側板の底片側の一部を残存させて切り欠くことにより、切込付の舌片による係合部材が設けられ、該係合部材を切込の残存部を境にして内側に折曲させることにより支持面を形成し、伸張状態の包装用仕切の横片が該係合部材の支持面に載置されてなることを特徴とする包装用仕切を備えた包装用箱である。
【００１９】
上記の目的を達成するため、第７の課題解決手段は、第１、２、３、４、５又は６の課題解決手段において、
係合部材が側板の内側において、包装用箱本体と底片との境の折目を基準してその上方の同一水平線上に複数個設けられてなることを特徴とする包装用仕切を備えた包装用箱である。
【００２０】
上記の目的を達成するため、第８の課題解決手段は、第１、２、３、４、５、６又は７の課題解決手段において、
係合部材の最大長さが包装用仕切の升目の長さより短く設定されてなることを特徴とする包装用仕切を備えた包装用箱である。
【００２１】
上記の目的を達成するため、第９の課題解決手段は、第１、２、３、４、５、６、７又は８の課題解決手段において、
包装用箱、包装用仕切および係合部材が紙製であることを特徴とする包装用仕切を備えた包装用箱である。
【考案の作用効果】
【００２２】
第１の課題解決手段による考案は、上記の構成であるから、以下の作用効果を奏する。
断面形態が菱形の圧縮状態にある包装用仕切を備えた包装用箱を被包装物の包装に備えて包装用仕切を包装用箱と一体に伸張させ、升目を得る場合（図１１を参照）。
包装用仕切が包装用箱と一体に圧縮状態にある場合では、底片および蓋片が包装用箱本体の側板と同一の水平面を形成し、該箱の内側に圧縮された包装用仕切が内装された状態である。
そこで、板状に折り畳まれた包装用箱を該箱本体の四隅の折目を境にして方形に伸張させる。
【００２３】
かくして、圧縮状態にあった包装用仕切は横片を介して係合部材に係合されているから、係合部材が設けられた包装用箱の一対の側板が外側に向けて引っ張られることにより、その引っ張り応力が圧縮状態の包装用仕切に作用し、包装用仕切は徐々に伸張され、遂には方形の升目を備えた包装用箱を得ることができ、升目に被包装物を収納できる形態が得られる。
この場合、包装用仕切は横片を介して係合部材に係合されているに止まるものの、考案者は実験的に試みたが、比較的僅かな応力が仕切に作用することにより、升目を形成できるから、その升目内に被包装物を収納する。
【００２４】
升目が形成され、伸張状態の包装用仕切を備えた包装用箱を保管あるいは廃棄、運送に備えて包装用仕切を包装用箱と一体に嵩張ることのないように圧縮する場合。
前記の伸張の場合と反対に、包装用仕切の横片側に位置する側板を圧縮させる
（図１１を参照）。
【００２５】
かくして、伸張された包装用仕切は、包装用箱の圧縮に追従して該箱とともに折り畳まれる。
この圧縮時の作用についてさらに、言及すると、包装用仕切は包装用箱内に接着剤を介して結合されることなく、単に係合部材を介して微動できるように摺動自在に係合されている。
【００２６】
換言すれば、被包装物の包装に備え一時的に仮止めされた状態にあるから、包装用仕切は包装用箱に対して摺動自在に微動できる融通性を備えた状態にある。
包装用箱は４本の折り目を備えた方形の箱であるに対して、包装用仕切は箱の中空方形体である箱と比較して小さな方形の升目の多数の集合体である相違により、両者に奏する圧縮作用には、必然的に差が生じる。
【００２７】
この結果、包装用箱内で包装用仕切が包装用箱の折り畳み時の無理な折り畳み作用に影響を受けるようなことはなく、微動できる融通性を備えていることにより、包装用仕切を該箱と一体に圧縮し易い利点がある。
換言すれば、箱内の包装用仕切は、いわゆる“遊び（よゆう）”を備えているといえる。
【００２８】
伸縮自在な包装用仕切を折り畳み自在な包装用箱内に装着させるのに先だって、予め、一組の側板の内側において、底片寄りの係合部材を設けておくことにより、この係合部材に包装用仕切の横片を係合させるだけで、包装用仕切を包装用箱内に接着することなく、包装用仕切を包装用箱内に結合できる。
係合部材を側板の内側に設けるには、たとえば、断面Ｌ字状を呈する係合部材を設け、この係合部材を包装用箱の側板の内側に配置させ、側板との間に隙間を設定して接着するには、単に係合部材の一部を側板に手作業により接着させることは容易に実施できる。
【００２９】
これに対して、機械的手段による場合、包装用仕切の位置決め工程、糊付工程、包装用箱の側板の展開、折り畳み、包装用仕切の載置工程などを必要とし、これらの工程を機械的に反復し、、包装用仕切を包装用箱内に装着させることは必ずしも容易ではない。
【００３０】
したがって、包装用仕切を包装用箱内に結合するのに、煩雑な機械的手段を講じることなく、予め生産した係合部材を単に包装用箱の内側にたとえば、接着するという簡便な作業により係合部材を設けることができるから、包装用仕切を包装用箱内に簡便に結合できる。
【００３１】
伸張自在な包装用仕切と折り畳み自在な包装用箱を係合部材を介して手軽に組み合わせつつ、包装用仕切を備えた包装用箱の機能を低下させることがない。
【００３２】
第２の課題解決手段による考案は、上記の構成であるから、第１の課題解決手段が奏する作用効果のほか、包装用仕切を包装用箱に内装するのに、係合部材は蓋側に開放部を設けたものを使用し、係合部材の開放部に該仕切の横片を挿入するという簡便な方法で行うことができる。
【００３３】
第３の課題解決手段による考案は、上記の構成であるから、第１の課題解決手段が奏する作用効果のほか、第２の課題解決手段と均等の作用効果を期待できる
。
【００３４】
第４の課題解決手段による考案は、上記の構成であるから、第１の課題解決手段が奏する作用効果のほか、第２の課題解決手段と均等の作用効果を期待できる
。
【００３５】
第５の課題解決手段による考案は、上記の構成であるから、第１の課題解決手段が奏する作用効果のうち、包装用仕切の伸張については、包装用箱の展開と独立させて行う必要性を有するものの、圧縮時の作用効果については、第１の課題解決手段が奏する効果を共有できる。
【００３６】
第６の課題解決手段による考案は、上記の構成であるから、第５の課題解決手段が奏する作用効果のほか、係合部材は包装用箱の側板を利用し、単に切り込みを設けるだけで得られるから、係合部材の材料の節約に寄与でき、簡単に係合部材を得ることができる。
【００３７】
第７の課題解決手段による考案は、上記の構成であるから、第１、２、３、４、５、又は第６の課題解決手段が奏する作用効果のほか、係合部材の複数個が同一水平線上に設けられているから、包装用仕切を安定して包装用箱に装着でき、しかも係合部材の位置は、包装用箱本体と底片との境の折目を基準して設定されているから、係合部材の位置ずれがないので包装用仕切の位置の確実化を図ることができる。
【００３８】
第８の課題解決手段による考案は、上記の構成であるから、第１、２、３、４、５、５又は第７の課題解決手段が奏する作用効果のほか、係合部材の最大長さが包装用仕切の升目の長さより短く設定されてなるから、包装用仕切は１個の升目の長さに規制された範囲の遊びを備えることになり、よって、包装用仕切を包装用箱と一体に折り畳む際に負荷を奏することなく、両者を一体に折り畳むことができる。
【００３９】
第９の課題解決手段による考案は、上記の構成であるから、第１、２、３、４、５、６、７又は８の課題解決手段が奏する作用効果のほか、包装用箱、包装用仕切および係合部材の全てが紙材で統一されているから、分別回収に寄与でき、いわゆるリサイクル化をし易い。
【考案を実施するための最良の形態】
【００４０】
伸縮自在な包装用仕切を包装用箱の伸縮に追従して包装用箱と一体に伸縮自在に設けるという目的を、包装用箱本体内に該包装用仕切を係合部材を介して摺動自在に係合することにより実現した。
【実施例】
【００４１】
以下この考案の実施例１を図を参照して説明する。
この考案の実施例１は、伸縮自在な包装用仕切１４と段ボール箱のように折り畳み自在な包装用箱２０の組み合わせによるものであり、折りたたみ自在な包装用仕切１４と折り畳み自在な包装用箱２０は、それぞれ知られた構成によるものである。
たとえば、伸縮自在な包装用仕切１４は、前記したように特許文献２、特許文献３、特許文献４などにより知られている。
この実施例に採用した包装用仕切１４を図１〜４を参照して例示する。
図１に示される例は１２個の升目１２ｄ（升目の符合「１２ｄ」については図４を参照、以下同じ）を備えた包装用仕切１４であり、追って説明する一対の横片１０、１０間に設けられる縦片１２が一連不可分の例である。
【００４２】
図１の例では、４枚の横片１０が升目１２ｄの幅を設定するために一定の間隔を隔て平行に設けられている。
４枚の横片１０を設ける例を説明したが、少なくとも２枚の横片１０を平行に設けれることにより、仕切１４を得ることができる。
２枚以上の横片１０を設けることは自由である。
【００４３】
折目１２ａを境にして升目１２ｄの幅、長さおよび高さを決めるため、一定の幅と長さを有する縦部１２ｂと横部１２ｃがそれぞれ区画形成された縦片１２が３枚設けられている。
【００４４】
そして、平行に一定の間隔毎に配置された４枚の横片１０間に、縦片１２の横部１２ｃが横片１０と平行に配置され、横部１２ｃが接着剤を介して該横片１０、１０に接着されることにより、伸張時に方形の升目１２ｄを形成するようにした伸縮自在な包装用仕切１４が設けられている。
【００４５】
この包装用仕切１４は、包装用箱の図面を省略してあるが、伸張時は、図１に示される形態であり、圧縮時は図２に示される形態である。
【００４６】
伸縮自在な包装用仕切１４自体は当業界で知られているが、上記のほかたとえば、図３に示す形態のものが知られている。
この例は、図面上の左右の升目１２ｄが開放されていないものであるが、図１の例と本質的に相違しない。
【００４７】
前記の２例では、横片１２間に設けられる縦片１２が前記の例では一連不可分のものであったが、図４に示される平面による説明図の例では、一連不可分の縦片１２が分離独立した例であり、縦片１２の材料の節約と生産工程の相違によるものであるが、構造上の本質的相違はなく、伸縮自在な包装用仕切１４として前記の包装用仕切１４と共通である。
【００４８】
そのほか、特許文献４として挙げた特許第３３４９５４３号公報記載の伸縮自在な包装用仕切を採用することも自由である。
【００４９】
一方、伸縮自在な包装用仕切を内装する折り畳み自在な包装用箱２０について説明する。
この包装用箱２０は、当業界で広く知られた市場に流通しているものである。
この考案は、このように、市販されている包装用箱２０と当業界で知られている伸縮自在な包装用仕切１４を簡単な係合部材を介して組み合わせることにより構成されることを特徴とするものである。
【００５０】
そこで、説明の便宜上、包装用箱２０の構造を以下に説明する（図１１を参照）。
知られるように、対向する一方の一組の側片１６ａ、１６ａと対向する他方の一組の側片１６ｂ、１６ｂからなる四隅に折り目１６ｆが形成された方形の包装用箱本体１６ｃが設けられている。
【００５１】
包装用箱本体１６ｃの前記の二組の側板１６ａ、１６ａ、１６ｂ、１６ｂの開口端と底側端に二枚又は四枚からなる蓋片１６ｄおよび底片１６ｅがそれぞれ折目を介して折り畳み自在に連設されている。
【００５２】
対向する二組の側板１６ａ、１６ａ、１６ｂ、１６ｂの何れかの一組の側板の内側において、一定の箇所に係合部材を備えた包装用箱２０が設けられている。
実施例を示す図５〜１１では、仕切１４の横片１０の対向側に係合部材が設けられている。
この実施例では、包装用仕切１４を箱２０の底片１６ｅから遊離させた状態、換言すれば箱２０内に吊すようにしている。
図示を省略したが、好ましくは、対向する一組の側板１６ａの内側において、一定の距離を隔てて１個の升目１２ｄの長さＬに比較して最大長さｌが短い係合部材が２個毎接着剤を介して固定されている（図１、図１１を参照）。
係合部材を一側板１６ａに少なくとも１個を必須とするが、２個以上設けることは自由である。
図５、６の例は、対向する一対のそれぞれの側板１６ａの内側に包装用箱本体１６ｃの蓋片１６ｄ側に開放部１８αを有する係合部材１８ａが接着され、包装用仕切１４の横片１０が開放部１８αに摺動自在に挿入させてなるものである。
【００５３】
次に包装用仕切１４と包装用箱２０の組み合わせについて説明する。
蓋片１６ｄおよび底片１６ｅが二組の側板１６ａ、１６ａ、１６ｂ、１６ｂに対して直角に折曲された状態において、包装用箱本体１６ｃ内に該包装用仕切１４がその底片１６ｅから遊離され、該包装用仕切１４の横片１２側が該係合部材１８ａに向けられるとともに該横片１２が係合部材１８ａを介して摺動自在に係合され、かつ、蓋片１６ｄ側が蓋片１６ｄに干渉しないように内装されてなるものである。
【００５４】
包装用仕切１４の高さｈを被包装物Ｍの高さＨより低いものとし（図５を参照）、前記のように包装用仕切１４をその底片１６ｅから遊離させ、蓋片１６ｄ側を蓋片１６ｄに干渉しないように内装することにより、包装用仕切１４は係合部材１８ａを介して宙づりの状態を呈することになり、被包装物Ｍたとえば、円筒状の殺虫剤容器の胴回りのみを保護することになるが、包装上、何らの支障を来さない。
その上、前記したように、包装用仕切１４は底片１６ｅから遊離し、蓋片１６ｄ側は蓋片１６ｄに干渉しないように内装されているから、包装用仕切１４を包装用箱２０と一体に伸張し、あるいは圧縮する場合に、包装用仕切１４が包装用箱２０の蓋片１６ｄや底片１６ｅに接触することがないから、負荷がかからない
。
【００５５】
次に他の係合部材と包装用箱２０および包装用仕切１４の組み合わせの例を要部を拡大した図７〜１０を参照して説明する。
図７の例は、対向する一対のそれぞれの側板１６ａの内側との間に包装用仕切１４の横片１０の肉厚に対応する隙間βを設けてなる断面略Ｌ字状の係合部材１８ｂが設けられたものである。
包装用仕切１４の横片１０がその隙間βに摺動自在に挿入されてなるものである。
【００５６】
図８の例は、対向する一対のそれぞれの側板１６ａの内側との間に包装用仕切１４の横片１０の肉厚に対応する隙間βを設けてなる断面略Ｕ字状の係合部材１８ｃが設けられたものである。
包装用仕切１４の横片１０が該隙間βに摺動自在に挿入されてなるものである。
【００５７】
図９および図１０の例は、前記の例に比較して機能上、包装用箱２０と包装用仕切１４を一体に折り畳むことが可能であるものの、包装用仕切１４を伸張させる場合は、包装用仕切１４を該箱２０の展開とは別に独立して行う形態のものである。
対向する一対のそれぞれの側板１６ａの内側に横断面の幅が包装用仕切１４の横片１０の肉厚より大きい支持面１８ｍを備えた係合部材１８ｄが設けられている。
伸張状態の包装用仕切１４の横片１０が該係合部材１８ｄの支持面１８ｍに載置されてなるものである。
係合部材１８ｄを最も簡単に設けることができる特徴を有する。
【００５８】
図１０の例は、対向する一組の側板１６ａの底片１６ｅ側の一部を残存させて切り欠くことにより、切込１８f付の舌片による係合部材１８ｅが設けられ、該係合部材１８ｅを切込１８fの残存部を境にして内側に折曲させることにより支持面１８ｍを形成し、伸張状態の包装用仕切１４の横片１０が該係合部材１８ｅの支持面１８ｍに載置されてなるものである。
【図面の簡単な説明】
【００５９】
【図１】この考案の実施の形態に係る包装用仕切の伸張状態の斜視図である（実施例１）。
【図２】この考案の実施の形態に係る包装用仕切の圧縮状態の斜視図である（実施例１）。
【図３】この考案の実施の形態に係る包装用仕切の伸張状態の斜視図である（実施例２）。
【図４】この考案の実施の形態に係る包装用仕切の伸張状態の平面による説明図である（実施例３）。
【図５】この考案の実施の形態に係る包装用箱の使用状態を示す縦断面図である（実施例４）。
【図６】図５の要部の拡大断面図である（実施例４）。
【図７】この考案の他の実施の形態に係る要部の拡大断面図である（実施例５）。
【図８】この考案の他の実施の形態に係る要部の拡大断面図である（実施例６）。
【図９】この考案の他の実施の形態に係る要部の拡大断面図である（実施例７）。
【図１０】この考案の他の実施の形態に係る要部の拡大断面図である（実施例６）。
【図１１】この考案の他の実施の形態に係る包装用箱を包装用仕切とともに折り畳んだ状態を示す斜視図である（実施例４）。
【符号の説明】
【００６０】
１０  包装用仕切の横片
１２  包装用仕切の縦片
１２ａ  包装用仕切の縦片の折目
１２ｂ  包装用仕切の縦片の縦部
１２ｃ  包装用仕切の縦片の横部
１２ｄ  包装用仕切の升目
１４  包装用仕切
１６ａ  包装用箱の一方の側板
１６ｂ  包装用箱の他方の側板
１６ｃ  包装用箱本体
１６ｄ  包装用箱の蓋片
１６ｅ  包装用箱の底片
１６ｆ  包装用箱本体間の折目
１６ｈ  包装用箱本体と底片との境の折目
１８ａ  係合部材
１８ｂ  係合部材
１８ｃ  係合部材
１８ｄ  係合部材
１８ｅ  係合部材
１８ｆ  係合部材の切込
１８ｍ  係合部材の支持面
１８α  係合部材の開放部
２０  包装用箱
Ｌ  包装用仕切の升目の長さ
ｌ  係合部材の最大長さ
Ｈ  被包装物の高さ
ｈ  包装用仕切の高さ
Ｍ  被包装物
β  包装用仕切の横片の肉厚に対応する隙間
【図１】
0003117108.tif 000003
【図２】
0003117108.tif 000004
【図３】
0003117108.tif 000005
【図４】
0003117108.tif 000006
【図５】
0003117108.tif 000007
【図６】
0003117108.tif 000008
【図７】
0003117108.tif 000009
【図８】
0003117108.tif 000010
【図９】
0003117108.tif 000011
【図１０】
0003117108.tif 000012
【図１１】
0003117108.tif 000013